【事件の表示】
　商願２００２−８７６７７拒絶査定不服審判事件について、次のとおり審決する。
【結　論】
　原査定を取り消す。
　本願商標は、登録すべきものとする。
【理　由】
１　本願商標 
　本願商標は、後掲のとおりの構成よりなり、第９類、第１６類、第２５類、第２８類、第４１類及び第４２類に属する願書記載のとおりの商品及び役務を指定商品及び指定役務として、平成１４年１０月１６日に登録出願されたものである。 
　そして、その指定商品及び指定役務については、原審における平成１５年７月３０日付け及び当審における同１５年１０月９日付けの手続補正書により、第９類「電子計算機用ゲームプログラムを記憶させた電子回路・磁気ディスク・光ディスク・光磁気ディスク・ＣＤ−ＲＯＭ・ＤＶＤ−ＲＯＭ・ＤＶＤ−ＲＡＭ・磁気テープその他の記録媒体，ダウンロード可能な電子計算機用ゲームプログラム，携帯電話用ゲームプログラムを記憶させた電子回路・磁気ディスク・光ディスク・光磁気ディスク・ＣＤ−ＲＯＭ・ＤＶＤ−ＲＯＭ・ＤＶＤ−ＲＡＭ・磁気テープその他の記録媒体，ダウンロード可能な携帯電話用ゲームプログラム，携帯情報端末用ゲームプログラムを記憶させた電子回路・磁気ディスク・光ディスク・光磁気ディスク・ＣＤ−ＲＯＭ・ＤＶＤ−ＲＯＭ・ＤＶＤ−ＲＡＭ・磁気テープその他の記録媒体，ダウンロード可能な携帯情報端末用ゲームプログラム，ダウンロード可能なコンピュータプログラム，その他のコンピュータプログラム，ダウンロード可能な音楽，音楽データを記憶させた記録媒体，録音済みコンパクトディスクその他のレコード，携帯電話用ストラップ，携帯電話用ネックピース」に補正されたものである。
　
２　原査定の拒絶の理由の要点
　原査定は、（１）（２）及び（３）のとおり認定、判断し、本願を拒絶したものである。
（１）本願に係る指定商品・役務中、第９類「記録済み画像データ・音楽データ・文字データ」、第４１類「オンラインによる画像・音楽・文字の提供」は、その内容及び範囲を明確に指定したものとは認められない。したがって、本願は、商標法第６条第１項の要件を具備しない。
（２）本願に係る指定商品・役務中、第２８類「フィギュア，遊園地用機械器具」、第４２類「家庭用テレビゲームおもちゃ用のプログラムの企画・開発並びにコンサルティング，携帯用液晶画面ゲームおもちゃ用のプログラムの企画・開発並びにコンサルティング，業務用テレビゲーム機用のプログラムの企画・開発並びにコンサルティング，電子計算機用ゲームプログラムの企画・開発並びにコンサルティング，携帯電話用ゲームプログラムの企画・開発並びにコンサルティング，携帯情報端末用ゲームプログラムの企画・開発並びにコンサルティング，その他のコンピュータプログラムの企画・開発並びにコンサルティング」は、その内容及び範囲を明確に指定したものとは認められない。また、前記指定商品・役務が不明確でその内容及び範囲が把握できないことから、政令で定める商品及び役務の区分に従って第２８類及び第４２類の商品・役務を指定したものと認めることもできない。したがって、本願は、商標法第６条第１項及び第２項の要件を具備しない。
（３）本願商標は、登録第１２８３５６０号商標、登録第１８８１２５３号商標、登録第２００８１９２号商標、登録第２７２３６５１号商標、登録第４０２２９８３号商標及び登録第４３０２７０７号商標と同一又は類似であって、その商標に係る指定商品（指定役務）と同一又は類似の商品（役務）について使用するものであるから、商標法第４条第１項第１１号に該当する。
　そして、（３）の拒絶の理由において引用した登録第１２８３５６０号商標（以下「引用商標１」という。）は、「フロム」及び「ＦＲＯＭ」の文字を二段に書してなり、昭和４９年５月１１日に登録出願、同５２年７月１１日に設定登録され、その後、同６３年１２月２１日及び平成９年５月２０日に商標権の存続期間の更新登録がなされたものであり、その指定商品は、第１１類に属する商標登録原簿記載のとおりである。
　同じく、登録第１８８１２５３号商標（以下「引用商標２」という。）は、後掲のとおりの構成よりなり、昭和５７年１１月１２に登録出願、同６１年８月２８日に設定登録され、その後、平成９年１月３０日に商標権の存続期間の更新登録がなされたものであり、その指定商品は、第２６類に属する商標登録原簿記載のとおりである。
　同じく、登録第２００８１９２号商標（以下「引用商標３」という。）は、「Ｋ−ＦＲＯＭ」の文字を書してなり、昭和６０年１１月２９に登録出願、同６２年１２月１８日に設定登録され、その後、平成９年１２月１６日に商標権の存続期間の更新登録がなされたものであり、その指定商品は、第２６類に属する商標登録原簿記載のとおりである。
　同じく、登録第２７２３６５１号商標（以下「引用商標４」という。）は、後掲のとおりの構成よりなり、昭和６１年９月１７に登録出願、平成９年１１月２１日に設定登録され、その指定商品は、第１１類に属する商標登録原簿記載のとおりである。
　同じく、登録第４０２２９８３号商標（以下「引用商標５」という。）は、「フロム」及び「ＦＲＯＭ」の文字を二段に書してなり、平成７年１０月１７に登録出願、同９年７月４日に設定登録され、その指定商品は、第２８類に属する商標登録原簿記載のとおりである。
　同じく、登録第４３０２７０７号商標（以下「引用商標６」という。）は、「フロム」の文字を標準文字で書してなり、平成１０年３月１９に登録出願、同１１年８月６日に設定登録され、その指定商品は、第９類に属する商標登録原簿記載のとおりである。
　
３　当審の判断
　本願商標は、その指定商品及び指定役務について前記１のとおり補正された結果、引用商標２及び引用商標３の指定商品と同一又は類似の商品及び役務はすべて削除され、引用商標２及び引用商標３の指定商品と類似しない商品となったと認められるものである。
　本願の指定商品及び指定役務については、前記１のとおり補正された結果、その内容及び範囲が明確なものになったと認められ、本願は、商標法第６条第１項及び同第２項の要件を具備するものとなった。
　次に、本願商標と、引用商標１、引用商標４、引用商標５及び引用商標６（以下これらをまとめて「引用商標」という。）との類否を検討する。
　本願商標は、後掲のとおりの構成よりなり、「ＦＲＯＭ」の文字は、起点を表す英語の前置詞として「〜から，〜のために， 〜で，、〜からすると」等の意味を表し、同じく、「ＳＯＦＴＷＡＲＥ」の文字は、「コンピュータシステムに関係するプログラム，映像・音楽・マルチメディアなどの作品，ハードウエアに対して、知識・思考による産物を集積したもの。」等の意味を有する語として、ともに我が国で親しまれた英語と認められる。 
　そして、その構成中の「ＳＯＦＴＷＡＲＥ」の文字部分が、補正後の本願指定商品との関係において、「コンピュータを動作させるためのプログラムやそれに附随するデータの総称」等を意味する語であって、指定商品の品質を表示する語として使用される場合があるとしても、本願商標のように、外来語としても親しまれている比較的平易な２つの語が、特に軽重の差なく、同書同大で一体に表された構成にあっては、それが、特定の商品の品質を具体的に表示するものとして理解するというよりも、むしろ、構成全体として、特定の観念の生ずることのない造語よりなるものであると見るのが相当である。 
　さらに、全体より生ずる「フロムソフトウェア」の称呼も、よどみなく、一気一連に称呼し得るものであり、他に構成中の「ＦＲＯＭ」の文字部分のみが独立して認識されると見るべき特段の事情は見いだせないから、本願商標は、構成文字に照応する一連の「フロムソフトウェア」の称呼のみが生ずるものといわざるを得ない。 
　したがって、本願商標より「フロム」の称呼をも生ずるとし、その上で、本願商標を商標法第４条第１項第１１号に該当するとして拒絶した原査定は、取消しを免れない。 
　その他、政令で定める期間内に本願について拒絶の理由を発見しない。 
　よって、結論のとおり審決する。